(57)【要約】【課題】ある記録メディア用のレーベル画像をその記録メディアに確実に描画することができるデータ記録レーベル描画システム、データ記録装置、画像描画装置、データ記録プログラム、画像描画プログラム、データ記録プログラム記憶媒体、および画像描画プログラム記憶媒体とを提供する。【解決手段】ＤＶＤ３００のデータ面の記録内容を表す記録情報に、そのＤＶＤ３００を特定するメディア特定情報を添付してハードディスク装置１１３に保存する記録情報保存部６１２と、レーベル面にメディア特定情報を書き込む特定情報書込部６１３とを有するデータ記録装置６１０、および、レーベル面からメディア特定情報を読み取る特定情報読取部６２１と、メディア特定情報が添付された記録情報をハードディスク装置１１３から取得する記録情報取得部６２２とを有する画像描画装置６２０を備えた。【選択図】        図６
2007280103.tif 000002
【特許請求の範囲】
【請求項１】
データが記録されるデータ面と、該データ面の記録内容を視覚的に確認するためのレーベル画像が描画されるレーベル面とを有する記録メディアにおける該記録内容を表した記録情報が保存される情報保存装置；
前記記録メディアのデータ面にデータを記録するデータ記録部と、
前記データ記録部による記録内容を表す記録情報を前記情報保存装置に保存する記録情報保存部と、
前記データ記録部によってデータが記録された記録メディアのレーベル面に、該記録メディアにおける記録内容を表した記録情報を特定する特定情報を書き込む特定情報書込部とを備えたデータ記録装置；および、
前記記録メディアのレーベル面から前記特定情報を読み取る特定情報読取部と、
前記特定情報読取部によって読み取られた特定情報情報が特定する記録情報を前記情報保存装置から取得する記録情報取得部と、
前記記録情報取得部によって取得された記録情報に基づいたレーベル画像を、前記特定情報読取部によって前記特定情報が読み取られた記録メディアのレーベル面に描画するレーベル画像描画部とを備えた画像描画装置；
を備えたことを特徴とするデータ記録レーベル描画システム。
【請求項２】
前記データ記録装置の記録情報保存部が、前記データ記録部によってデータが記録された記録メディアを特定するメディア特定情報を該記録情報に添付し、その添付済みの記録情報を前記情報保存部に保存するものであり、
前記データ記録装置の特定情報書込部が、前記メディア特定情報を、前記特定情報として前記レーベル面に書き込むものであることを特徴とする請求項１記載のデータ記録レーベル描画システム。
【請求項３】
前記データ記録装置の特定情報書込部が、前記記録情報の前記情報保存装置における保存場所を特定する保存場所特定情報を、前記特定情報として前記レーベル面に書き込むものであることを特徴とする請求項１記載のデータ記録レーベル描画システム。
【請求項４】
前記記録メディアが、データが光で記録されるデータ面と、光で前記レーベル画像が描画されるレーベル面とを有するものであることを特徴とする請求項１記載のデータ記録レーベル描画システム。
【請求項５】
データが記録されるデータ面と、該データ面の記録内容を視覚的に確認するためのレーベル画像が描画されるレーベル面とを有する記録メディアのデータ面にデータを記録するデータ記録部と、
前記データ記録部による記録内容を表す記録情報を所定の情報保存装置に保存する記録情報保存部と、
前記データ記録部によってデータが記録された記録メディアのレーベル面に、該記録メディアにおける記録内容を表した記録情報を特定する特定情報を書き込む特定情報書込部とを備えたことを特徴とするデータ記録装置。
【請求項６】
データが記録されるデータ面と、該データ面の記録内容を視覚的に確認するためのレーベル画像が描画されるレーベル面とを有する、該データ面に記録されたデータの記録内容を表す記録情報を特定する特定情報が該レーベル面に書き込まれている記録メディアの該レーベル面から前記特定情報を読み取る特定情報読取部と、
前記特定情報読取部によって読み取られた特定情報情報が特定する記録情報を前記情報保存装置から取得する記録情報取得部と、
前記記録情報取得部によって取得された記録情報に基づいたレーベル画像を、前記特定情報読取部によって前記特定情報が読み取られた記録メディアのレーベル面に描画するレーベル画像描画部とを備えたことを特徴とする画像描画装置。
【請求項７】
コンピュータに組み込まれ、該コンピュータ上に、
データが記録されるデータ面と、該データ面の記録内容を視覚的に確認するためのレーベル画像が描画されるレーベル面とを有する記録メディアのデータ面にデータを記録するデータ記録部と、
前記データ記録部による記録内容を表す記録情報を所定の情報保存装置に保存する記録情報保存部と、
前記データ記録部によってデータが記録された記録メディアのレーベル面に、該記録メディアにおける記録内容を表した記録情報を特定する特定情報を書き込む特定情報書込部とを構築することを特徴とするデータ記録プログラム。
【請求項８】
コンピュータに組み込まれ、該コンピュータ上に、
データが記録されるデータ面と、該データ面の記録内容を視覚的に確認するためのレーベル画像が描画されるレーベル面とを有する、該データ面に記録されたデータの記録内容を表す記録情報を特定する特定情報が該レーベル面に書き込まれている記録メディアの該レーベル面から前記特定情報を読み取る特定情報読取部と、
前記特定情報読取部によって読み取られた特定情報情報が特定する記録情報を前記情報保存装置から取得する記録情報取得部と、
前記記録情報取得部によって取得された記録情報に基づいたレーベル画像を、前記特定情報読取部によって前記特定情報が読み取られた記録メディアのレーベル面に描画するレーベル画像描画部とを構築することを特徴とする画像描画プログラム。
【請求項９】
コンピュータに組み込まれ、該コンピュータ上に、
データが記録されるデータ面と、該データ面の記録内容を視覚的に確認するためのレーベル画像が描画されるレーベル面とを有する記録メディアのデータ面にデータを記録するデータ記録部と、
前記データ記録部による記録内容を表す記録情報を所定の情報保存装置に保存する記録情報保存部と、
前記データ記録部によってデータが記録された記録メディアのレーベル面に、該記録メディアにおける記録内容を表した記録情報を特定する特定情報を書き込む特定情報書込部とを構築するデータ記録プログラムが記憶されてなることを特徴とするデータ記録プログラム記憶媒体。
【請求項１０】
コンピュータに組み込まれ、該コンピュータ上に、
データが記録されるデータ面と、該データ面の記録内容を視覚的に確認するためのレーベル画像が描画されるレーベル面とを有する、該データ面に記録されたデータの記録内容を表す記録情報を特定する特定情報が該レーベル面に書き込まれている記録メディアの該レーベル面から前記特定情報を読み取る特定情報読取部と、
前記特定情報読取部によって読み取られた特定情報情報が特定する記録情報を前記情報保存装置から取得する記録情報取得部と、
前記記録情報取得部によって取得された記録情報に基づいたレーベル画像を、前記特定情報読取部によって前記特定情報が読み取られた記録メディアのレーベル面に描画するレーベル画像描画部とを構築する画像描画プログラムが記憶されてなることを特徴とする画像描画プログラム記憶媒体。
【請求項１１】
データが記録されるデータ面と、該データ面の記録内容を視覚的に確認するためのレーベル画像が描画されるレーベル面とを有する記録メディアのデータ面にデータを記録するデータ記録過程と、
前記データ記録部による記録内容を表す記録情報を、前記記録メディアにおける記録内容を表した記録情報が保存される情報保存装置に保存する記録情報保存過程と、
前記データ記録過程によってデータが記録された記録メディアのレーベル面に、該記録メディアにおける記録内容を表した記録情報を特定する特定情報を書き込む特定情報書込過程と、
前記記録メディアのレーベル面から前記特定情報を読み取る特定情報読取過程と、
前記特定情報読取過程によって読み取られた特定情報情報が特定する記録情報を前記情報保存装置から取得する記録情報取得過程と、
前記記録情報取得過程によって取得された記録情報に基づいたレーベル画像を、前記特定情報読取過程によって前記特定情報が読み取られた記録メディアのレーベル面に描画するレーベル画像描画過程とを備えたことを特徴とするデータ記録レーベル描画方法。
【発明の詳細な説明】
【技術分野】
【０００１】
本発明は、データが記録されるデータ面と、そのデータ面の記録内容を視覚的に確認するためのレーベル画像が描画されるレーベル面とを有する記録メディアに対するデータの記録とレーベル画像の描画とを行うデータ記録レーベル描画システムと、そのようなデータ記録レーベル描画システムを構成するデータ記録装置および画像描画装置と、コンピュータを、そのようなデータ記録装置として動作させるデータ記録プログラムと、コンピュータを、そのような画像描画装置として動作させる画像描画プログラムと、そのようなデータ記録プログラムが記憶されてなるデータ記録プログラム記憶媒体と、そのような画像描画プログラムが記憶されてなる画像描画プログラム記憶媒体と、上記のような記録メディアに対するデータの記録とレーベル画像の描画とを行うデータ記録レーベル描画方法とに関する。
【背景技術】
【０００２】
音楽等を表す音声データを手軽に記録する記録メディアとして、ミニディスクが普及している。ここで、ミニディスクに記録されている音声データが表す音楽等に基づいて、その音声データにタイトルを付与するという技術が提案されている（例えば、特許文献１参照。）。この技術によれば、ユーザはミニディスクに対応した再生装置等で、そのミニディスクに記録されている音声データのタイトルを表示させることで、そのミニディスクについての記録内容を確認することができる。
【０００３】
ところで、近年、画像データ、動画データ、音声データ、およびテキストデータ等といった様々なデータ種類のデータを記録する記録メディアとして、例えばＣＤ−Ｒ（Ｃｏｍｐａｃｔ  Ｄｉｓｋ  Ｒｅｃｏｒｄａｂｌｅ）やＣＤ−ＲＷ（Ｃｏｍｐａｃｔ  Ｄｉｓｋ  Ｒｅｗｒｉｔａｂｌｅ）やＤＶＤ（Ｄｉｇｉｔａｌ  Ｖｅｒｓａｔｉｌｅ  Ｄｉｓｋ）等が普及している。このような記録メディアの多くは、データが記録されるデータ面とは反対側の面が、その記録メディアの記録内容を視覚的に確認するためのレーベル画像が描画されるレーベル面として利用できるようになっている。このような記録メディアでは、上記のミニディスクとは異なり、このレーベル面に描画されたレーベル画像により、ユーザは、例えば音声データが表す音楽のタイトル等を、再生装置にセットすることなく容易に確認することができる。
【０００４】
レーベル面にレーベル画像を描画する方法としては、例えば、レーベル画像が印刷されたシール等をレーベル面に貼付することで、レーベル面にレーベル画像を間接的に描画する方法や、レーベル画像をインクジェットプリンタ等を使ってレーベル面に直接に描画する方法等が挙げられる。また、近年では、データが光で記録される記録面と、光でレーベル画像が描画されるレーベル面とを有する記録メディアや、そのような記録メディアのレーベル面にレーベル画像を光で描画する装置等も提案されている。
【特許文献１】特開２００２−３３４５６０号公報
【発明の開示】
【発明が解決しようとする課題】
【０００５】
ここで、複数の記録メディアを対象とした、記録データの記録とレーベル画像の描画という作業に対して、まずデータの記録だけをまとめて行ってから、データ記録済みの複数の記録メディアに、レーベル画像の描画をまとめて行って作業の効率化を図る等といったことが良く行われる。このような場合、ある記録メディアに、別の記録メディア用のレーベル画像が描画されてしまう等といった不具合が起きてしまうことがある。また、上記のような効率化が図られた作業では、しばしばデータの記録とレーベル画像の描画とが別人によって行われる。そのような場合には上記のようなレーベル画像の誤描画が生じる可能性は高くなる。
【０００６】
本発明は、上記事情に鑑み、ある記録メディア用のレーベル画像をその記録メディアに確実に描画することができるデータ記録レーベル描画システムと、そのようなデータ記録レーベル描画システムを構成するデータ記録装置および画像描画装置と、コンピュータを、そのようなデータ記録装置として動作させるデータ記録プログラムと、コンピュータを、そのような画像描画装置として動作させる画像描画プログラムと、そのようなデータ記録プログラムが記憶されてなるデータ記録プログラム記憶媒体と、そのような画像描画プログラムが記憶されてなる画像描画プログラム記憶媒体と、ある記録メディア用のレーベル画像をその記録メディアに確実に描画することができるデータ記録レーベル描画方法とを提供することを目的とする。
【課題を解決するための手段】
【０００７】
上記目的を達成する本発明のデータ記録レーベル描画システムは、データが記録されるデータ面と、そのデータ面の記録内容を視覚的に確認するためのレーベル画像が描画されるレーベル面とを有する記録メディアにおけるその記録内容を表した記録情報が保存される情報保存装置；
上記記録メディアのデータ面にデータを記録するデータ記録部と、
上記データ記録部による記録内容を表す記録情報を上記情報保存装置に保存する記録情報保存部と、
上記データ記録部によってデータが記録された記録メディアのレーベル面に、その記録メディアにおける記録内容を表した記録情報を特定する特定情報を書き込む特定情報書込部とを備えたデータ記録装置；および、
上記記録メディアのレーベル面から上記特定情報を読み取る特定情報読取部と、
上記特定情報読取部によって読み取られた特定情報情報が特定する記録情報を上記情報保存装置から取得する記録情報取得部と、
上記記録情報取得部によって取得された記録情報に基づいたレーベル画像を、上記特定情報読取部によって上記特定情報が読み取られた記録メディアのレーベル面に描画するレーベル画像描画部とを備えた画像描画装置；
を備えたことを特徴とする。
【０００８】
本発明のデータ記録レーベル描画システムによれば、記録メディアに対するデータの記録時に、その記録時の記録内容を表す記録情報が上記情報保存装置に保存されるとともに、その記録情報を特定する特定情報がレーベル面に書き込まれる。そして、記録メディアにレーベル画像が描画される際には、その記録メディアの記録内容を表す記録情報が、上記情報保存装置から、上記の特定情報を使って確実に取得され、その取得された記録情報に基づいてその記録メディア用のレーベル画像が確実に描画されることとなる。この本発明のデータ記録レーベル描画システムによれば、たとえ、対象となる記録メディアが複数あったとしても、さらには、データの記録を行う作業者とレーベル画像の描画を行う作業者とが別人であったとしても、誤って別の記録メディア用のレーベル画像が描画されてしまう等といった不具合が回避される。つまり、本発明のデータ記録レーベル描画システムによれば、ある記録メディア用のレーベル画像をその記録メディアに確実に描画することができる。
【０００９】
ここで、本発明のデータ記録レーベル描画システムは、「上記データ記録装置の記録情報保存部が、上記データ記録部によってデータが記録された記録メディアを特定するメディア特定情報をその記録情報に添付し、その添付済みの記録情報を上記情報保存部に保存するものであり、
上記データ記録装置の特定情報書込部が、上記メディア特定情報を、上記特定情報として上記レーベル面に書き込むものである」という形態や、
「上記データ記録装置の特定情報書込部が、上記記録情報の上記情報保存装置における保存場所を特定する保存場所特定情報を、上記特定情報として上記レーベル面に書き込むものである」という形態は好ましい形態である。
【００１０】
これらの好ましい形態のデータ記録レーベル描画システムによれば、記録メディア用のレーベル画像が確実に描画されるための上記の特定情報を確実に得ることができる。また、後者の形態は、データの記録時には、上記保存場所特定情報がレーベル面に書き込まれるだけの簡単な形態となっている。
【００１１】
また、本発明のデータ記録レーベル描画システムにおいて「上記記録メディアが、データが光で記録されるデータ面と、光で上記レーベル画像が描画されるレーベル面とを有するものである」という形態も好ましい形態である。
【００１２】
このような好ましい形態のデータ記録レーベル描画システムによれば、データの記録とレーベル画像の描画とを同じ光を使って行うことができるのでシステムの一層の簡単化が図られる。
【００１３】
また、上記目的を達成する本発明のデータ記録装置は、データが記録されるデータ面と、そのデータ面の記録内容を視覚的に確認するためのレーベル画像が描画されるレーベル面とを有する記録メディアのデータ面にデータを記録するデータ記録部と、
上記データ記録部による記録内容を表す記録情報を所定の情報保存装置に保存する記録情報保存部と、
上記データ記録部によってデータが記録された記録メディアのレーベル面に、その記録メディアにおける記録内容を表した記録情報を特定する特定情報を書き込む特定情報書込部とを備えたことを特徴とする。
【００１４】
また、上記目的を達成する本発明の画像描画装置は、データが記録されるデータ面と、そのデータ面の記録内容を視覚的に確認するためのレーベル画像が描画されるレーベル面とを有する、そのデータ面に記録されたデータの記録内容を表す記録情報を特定する特定情報がそのレーベル面に書き込まれている記録メディアのそのレーベル面から上記特定情報を読み取る特定情報読取部と、
上記特定情報読取部によって読み取られた特定情報情報が特定する記録情報を上記情報保存装置から取得する記録情報取得部と、
上記記録情報取得部によって取得された記録情報に基づいたレーベル画像を、上記特定情報読取部によって上記特定情報が読み取られた記録メディアのレーベル面に描画するレーベル画像描画部とを備えたことを特徴とする。
【００１５】
これら本発明のデータ記録装置と本発明の画像描画装置とによれば、上述した、ある記録メディア用のレーベル画像をその記録メディアに確実に描画することができるデータ記録レーベル描画システムを得ることができる。
【００１６】
また、上記目的を達成する本発明のデータ記録プログラムは、コンピュータに組み込まれ、そのコンピュータ上に、
データが記録されるデータ面と、そのデータ面の記録内容を視覚的に確認するためのレーベル画像が描画されるレーベル面とを有する記録メディアのデータ面にデータを記録するデータ記録部と、
上記データ記録部による記録内容を表す記録情報を所定の情報保存装置に保存する記録情報保存部と、
上記データ記録部によってデータが記録された記録メディアのレーベル面に、その記録メディアにおける記録内容を表した記録情報を特定する特定情報を書き込む特定情報書込部とを構築することを特徴とする。
【００１７】
また、上記目的を達成する本発明の画像描画プログラムは、コンピュータに組み込まれ、そのコンピュータ上に、
データが記録されるデータ面と、そのデータ面の記録内容を視覚的に確認するためのレーベル画像が描画されるレーベル面とを有する、そのデータ面に記録されたデータの記録内容を表す記録情報を特定する特定情報がそのレーベル面に書き込まれている記録メディアのそのレーベル面から上記特定情報を読み取る特定情報読取部と、
上記特定情報読取部によって読み取られた特定情報情報が特定する記録情報を上記情報保存装置から取得する記録情報取得部と、
上記記録情報取得部によって取得された記録情報に基づいたレーベル画像を、上記特定情報読取部によって上記特定情報が読み取られた記録メディアのレーベル面に描画するレーベル画像描画部とを構築することを特徴とする。
【００１８】
これら本発明のデータ記録プログラムと本発明の画像描画プログラムとによれば、それぞれ上述したデータ記録装置と画像描画装置とを容易に実現することができ、延いては、上述した、ある記録メディア用のレーベル画像をその記録メディアに確実に描画することができるデータ記録レーベル描画システムを得ることができる。
【００１９】
また、上記目的を達成する本発明のデータ記録プログラム記憶媒体は、コンピュータに組み込まれ、そのコンピュータ上に、
データが記録されるデータ面と、そのデータ面の記録内容を視覚的に確認するためのレーベル画像が描画されるレーベル面とを有する記録メディアのデータ面にデータを記録するデータ記録部と、
上記データ記録部による記録内容を表す記録情報を所定の情報保存装置に保存する記録情報保存部と、
上記データ記録部によってデータが記録された記録メディアのレーベル面に、その記録メディアにおける記録内容を表した記録情報を特定する特定情報を書き込む特定情報書込部とを構築するデータ記録プログラムが記憶されてなることを特徴とする。
【００２０】
また、上記目的を達成する本発明の画像描画プログラム記憶媒体は、コンピュータに組み込まれ、そのコンピュータ上に、
データが記録されるデータ面と、そのデータ面の記録内容を視覚的に確認するためのレーベル画像が描画されるレーベル面とを有する、そのデータ面に記録されたデータの記録内容を表す記録情報を特定する特定情報がそのレーベル面に書き込まれている記録メディアのそのレーベル面から上記特定情報を読み取る特定情報読取部と、
上記特定情報読取部によって読み取られた特定情報情報が特定する記録情報を上記情報保存装置から取得する記録情報取得部と、
上記記録情報取得部によって取得された記録情報に基づいたレーベル画像を、上記特定情報読取部によって上記特定情報が読み取られた記録メディアのレーベル面に描画するレーベル画像描画部とを構築する画像描画プログラムが記憶されてなることを特徴とする。
【００２１】
本発明のデータ記録プログラム記憶媒体および本発明の画像描画プログラム記憶媒体は、ＦＤ（フレキシブルディスク）、ＣＤ−Ｒ、ＣＤ−ＲＷ、ＭＯ、ＤＶＤ等といった記憶媒体の他、ハードディスクやメモリチップ等であっても良い。
【００２２】
また、上記目的を達成する本発明のデータ記録レーベル描画方法は、データが記録されるデータ面と、そのデータ面の記録内容を視覚的に確認するためのレーベル画像が描画されるレーベル面とを有する記録メディアのデータ面にデータを記録するデータ記録過程と、
上記データ記録部による記録内容を表す記録情報を、上記記録メディアにおける記録内容を表した記録情報が保存される情報保存装置に保存する記録情報保存過程と、
上記データ記録過程によってデータが記録された記録メディアのレーベル面に、その記録メディアにおける記録内容を表した記録情報を特定する特定情報を書き込む特定情報書込過程と、
上記記録メディアのレーベル面から上記特定情報を読み取る特定情報読取過程と、
上記特定情報読取過程によって読み取られた特定情報情報が特定する記録情報を上記情報保存装置から取得する記録情報取得過程と、
上記記録情報取得過程によって取得された記録情報に基づいたレーベル画像を、上記特定情報読取過程によって上記特定情報が読み取られた記録メディアのレーベル面に描画するレーベル画像描画過程とを備えたことを特徴とする。
【００２３】
この本発明のデータ記録レーベル描画方法によれば、ある記録メディア用のレーベル画像をその記録メディアに確実に描画することができる。
【００２４】
尚、本発明のデータ記録装置、本発明の画像描画装置、本発明のデータ記録プログラム、本発明の画像描画プログラム、本発明のデータ記録プログラム記憶媒体、本発明の画像描画プログラム記憶媒体、および本発明のデータ記録レーベル描画方法については、ここではその基本形態のみを示すのにとどめるが、これは単に重複を避けるためであり、本発明にいうデータ記録装置、画像描画装置、データ記録プログラム、画像描画プログラム、データ記録プログラム記憶媒体、および画像描画プログラム記憶媒体、および本発明のデータ記録レーベル描画方法には、前述したデータ記録レーベル描画システムの各形態に対応する各種の形態が含まれる。
【発明の効果】
【００２５】
以上、説明したように、本発明によれば、ある記録メディア用のレーベル画像をその記録メディアに確実に描画することができるデータ記録レーベル描画システムと、そのようなデータ記録レーベル描画システムを構成するデータ記録装置および画像描画装置と、コンピュータを、そのようなデータ記録装置として動作させるデータ記録プログラムと、コンピュータを、そのような画像描画装置として動作させる画像描画プログラムと、そのようなデータ記録プログラムが記憶されてなるデータ記録プログラム記憶媒体と、そのような画像描画プログラムが記憶されてなる画像描画プログラム記憶媒体と、ある記録メディア用のレーベル画像をその記録メディアに確実に描画することができるデータ記録レーベル描画方法とを得ることができる。
【発明を実施するための最良の形態】
【００２６】
以下図面を参照して本発明の実施の形態を説明する。
【００２７】
図１は、本発明のデータ記録レーベル描画システムの一実施形態として動作するコンピュータシステムを示す図である。
【００２８】
この図１に示すコンピュータシステム１０は、ＤＶＤ３００にデータを記録するときには本発明のデータ記録装置の一実施形態として動作し、そのＤＶＤ３００に、そのＤＶＤ３００についての記録内容を視覚的に確認するためのレーベル画像を描画するときには本発明の画像描画装置の一実施形態として動作する。
【００２９】
コンピュータシステム１０は、パーソナルコンピュータ１００と、そのパーソナルコンピュータ１００に接続されたＤＶＤドライブ２００とで構成される。
【００３０】
パーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００３１】
ＤＶＤドライブ２００は、外観上、ＤＶＤを装填するためのＤＶＤ装填口２００ａを有する。このＤＶＤドライブ２００では、データの記録および再生の際には、ＤＶＤ３００は、データ面が図中で下向きにされて装填され、レーベル画像の描画および読取りの際には、逆に、レーベル面が下向きにされて装填される。
【００３２】
以下、このＤＶＤドライブ２００の内部構成について説明する。
【００３３】
図２は、図１に示すＤＶＤドライブ２００の内部構成を示すハードウェアブロック図である。
【００３４】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、画像読取回路２１７、および制御回路２１８を備えている。このＤＶＤドライブ２００は、図１にも示すパーソナルコンピュータ１００に、インタフェース回路２０９を介して接続されている。
【００３５】
まず、このＤＶＤドライブ２００における、ＤＶＤ３００へのデータの記録について説明する。
【００３６】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００３７】
データの記録時には、ＤＶＤ３００は、データ面が光ピックアップ２０１と対向するように、データ面を下に向けてＤＶＤドライブ２００に装填される。装填されたＤＶＤ３００は、不図示の保持機構で保持された状態で、スピンドルモータ２０２によって回転駆動される。また、このときには、記録に最適な回転速度が制御回路２１８からサーボ回路２０６に伝えられる。さらに、スピンドルモータ２０２の回転速度が回転検出器２０３によって検出され、その回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００３８】
光ピックアップ２０１は、赤外域の波長のレーザ光を発する第１のレーザダイオード２０１ａ、赤色域の波長のレーザ光を発する第２のレーザダイオード２０１ｂ、受光素子、および集光レンズ等からなる光学系を備えている。本実施形態では、第１のレーザダイオード２０１ａが発するレーザ光は、データの記録および再生、レーベル画像の描画、および光学系の微調整に使われ、第２のレーザダイオード２０１ｂが発するレーザ光は、レーベル画像の読取りに使われる。このような動作に応じたレーザダイオードの切換えは、ＡＬＰＣ回路を介した制御回路２１８からの光ピックアップ２０１に対する制御によって行われる。
【００３９】
上記のように制御されたされた回転速度で回転するＤＶＤ３００のデータ面に対して、第１のレーザダイオード２０１ａから発し集光レンズで集光されたレーザ光が照射されることで、そのデータ面にデータが記録される。このとき、記録に最適なレーザ光強度が制御回路２１８からＡＬＰＣ回路２１５に伝えられる。また、光ピックアップ２０１は、各レーザダイオードが発するレーザ光の強度をモニタするセンサを有している。データ記録時には、第１のレーザダイオード２０１ａが発するレーザ光の強度が、このセンサによってモニタされＡＬＰＣ回路２１５に伝えられる。ＡＬＰＣ回路２１５は、モニタされた強度と上記の記録に最適なレーザ光強度とを比較し、両者を一致させるための制御信号をレーザドライバ２１６に送る。また、光ピックアップ２０１は、集光されたレーザ光のデータ面上での微小な位置決めを行なうサーボ機構や、集光レンズに対するフォーカス制御を行うフォーカス機構を有している。本実施形態では、データ記録のためのレーザ光がデータ面で反射されたときのその反射光を利用して、これらの機構の動作が、制御回路２１８からの指示に従ったサーボ回路２０６によって制御される。これにより、正確に集光されたレーザ光が、ＤＶＤ３００のデータ面上の目標位置に正確に照射されることとなる。
【００４０】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００４１】
レーザドライバ２１６は、光ピックアップ２０１の第１のレーザダイオード２０１ａを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００４２】
次に、このＤＶＤドライブ２００における、ＤＶＤ３００に記録されたデータの再生について説明する。
【００４３】
このデータの再生の際にも、ＤＶＤ３００は、データ面が光ピックアップ２０１に対向するように装填され、スピンドルモータ２０２によって最適な回転速度で回転される。
【００４４】
また、上述したように、このデータの再生にも、光ピックアップ２０１における第１のレーザダイオード２０１ａを発する赤外域のレーザ光が使われる。
【００４５】
データの再生時には、この第１のレーザダイオード２０１ａが発しＤＶＤ３００のデータ面で反射されたレーザ光が、光ピックアップ２０１の受光素子で受光される。このとき、ＤＶＤ３００のデータ面で反射されるレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１８に送る。制御回路２１８は、その再生されたデータをインタフェース回路２０９を介してパーソナルコンピュータ１００に送る。また、このようなデータの再生時にも、レーザ光の強度をモニタするセンサによるモニタ結果に応じてレーザ光の強度がデータの再生に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００４６】
次に、このＤＶＤドライブ２００における、ＤＶＤ３００へのレーベル画像の描画について説明する。
【００４７】
上述したように、レーベル画像の描画の際にも、光ピックアップ２０１における第１のレーザダイオード２０１ａが発する赤外域のレーザ光が使われる。また、レーベル画像の描画が行われる際には、ＤＶＤ３００が、レーベル面が光ピックアップ２０１に対向するように、このレーベル面を下に向けて装填される。
【００４８】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１の第１のレーザダイオード２０１ａを、この階調画像データに従って駆動する駆動信号を生成する。
【００４９】
ここで、本実施形態で使用されるＤＶＤ３００のレーベル面は赤外域の光が照射されると、その光に反応して照射された部分が薄まる青色のレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００５０】
また、このようなレーベル画像の描画時にも、レーザ光の強度をモニタするセンサによるモニタ結果に応じてレーザ光の強度が描画に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００５１】
次に、このＤＶＤドライブ２００における、ＤＶＤ３００からのレーベル画像の読取りについて説明する。
【００５２】
このレーベル画像の読取りの際には、ＤＶＤ３００が、レーベル画像が描画されたレーベル面が光ピックアップ２０１に対向するように、このレーベル面を下に向けて装填される。
【００５３】
上述したように、レーベル画像の読取りには、光ピックアップ２０１における第２のレーザダイオード２０１ｂが発する赤色域のレーザ光が使われる。
【００５４】
本実施形態では、レーベル画像の描画は、レーベル面の青色のレーベル色を薄めることで行われる。このようなレーベル面に赤色域の光が照射されると、そのレーベル面で反射される反射光の強度は、その光が照射された部分の青色の濃度によって異なる。そこで、レーベル画像の読取りは、光ピックアップ２０１において、レーベル面に赤色域のレーザ光を照射し、レーベル面に描画されたレーベル画像に応じて変化する反射光の強度を検出することで行われる。光ピックアップ２０１における検出結果は、画像読取回路２１７においてレーベル画像を表わす画像データに変換され、制御回路２１８およびインタフェース回路２０９を介してパーソナルコンピュータ１００に送られる。また、このようなレーベル画像の読取り時にも、レーザ光の強度をモニタするセンサによるモニタ結果に応じてレーザ光の強度が読取りに最適な強度にＡＬＰＣ回路２１５によって制御される。また、光ピックアップ２０１が有するサーボ機構やフォーカス機構に対する制御も適宜に行われるが、このときには、光ピックアップ２０１におけるレーザ光の発光が、第２のレーザダイオード２０１ｂから第１のレーザダイオード２０１ａに切り換えられ、第１のレーザダイオード２０１ａが発する赤外域のレーザ光を使った制御が行われる。
【００５５】
ＤＶＤドライブ２００は、以上に説明した構成となっている。
【００５６】
次に、図１に示すコンピュータシステム１０を構成するパーソナルコンピュータ１００のハードウェア構成について説明する。
【００５７】
図３は、図１および図２に示すパーソナルコンピュータ１００のハードウェア構成図である。
【００５８】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、マウス１４０は、バス１１７を介して相互に接続されている。
【００５９】
ここで、上記のＣＤ−ＲＯＭ４２０には、コンピュータシステム１０を、本発明のデータ記録装置の一実施形態として動作させるための、本発明のデータ記録プログラムの一実施形態と、コンピュータシステム１０を、本発明の画像描画装置の一実施形態として動作させるための、本発明の画像描画プログラムの一実施形態とが記憶されており、このＣＤ−ＲＯＭ４２０は、本発明のデータ記録プログラム記憶媒体の一実施形態と本発明の画像描画プログラム記憶媒体の一実施形態とを兼ねたものに相当する。
【００６０】
そして、そのＣＤ−ＲＯＭ４２０がＣＤ−ＲＯＭドライブ１１５に装填されると、そのＣＤ−ＲＯＭ４２０に記憶されたプログラムがこのパーソナルコンピュータ１００にアップロードされてハードディスク装置１１３に書き込まれる。これにより、パーソナルコンピュータ１００はデータ記録装置や画像描画装置として動作し、その結果、このパーソナルコンピュータ１００において本発明のデータ記録レーベル描画方法が実行される。
【００６１】
まず、本発明のデータ記録プログラム、本発明の画像描画プログラム、本発明のデータ記録プログラム記憶媒体、および本発明の画像描画プログラム記憶媒体それぞれの一実施形態について説明する。
【００６２】
図４は、本発明のデータ記録プログラムの一実施形態および本発明の画像描画プログラムの一実施形態が記憶された、本発明のデータ記録プログラム記憶媒体の一実施形態と本発明の画像描画プログラム記憶媒体の一実施形態とを兼ねたＣＤ−ＲＯＭを示す概念図である。
【００６３】
図４に示すＣＤ−ＲＯＭ４２０は、本発明のデータ記録プログラム記憶媒体の一実施形態と本発明の画像描画プログラム記憶媒体の一実施形態とを兼ねたものであり、本発明のデータ記録プログラムの一実施形態であるデータ記録プログラム５１０と、本発明の画像描画プログラムの一実施形態である画像描画プログラム５２０とが記憶されている。
【００６４】
データ記録プログラム５１０は、データ記録部５１１、記録情報保存部５１２、および特定情報書込部５１３で構成され、画像描画プログラム５２０は、特定情報読取部５２１、記録情報読取部５２２、およびレーベル画像描画部５２３で構成されている。
【００６５】
これらデータ記録プログラム５１０および画像描画プログラム５２０それぞれの各部の詳細については、本発明のデータ記録装置の一実施形態および本発明の画像描画装置の一実施形態それぞれの各部の作用と併せて説明する。
【００６６】
次に、本発明のデータ記録レーベル描画方法の一実施形態について説明する。
【００６７】
図５は、本発明のデータ記録レーベル描画方法の一実施形態を示すフローチャートである。
【００６８】
このデータ記録レーベル描画方法は、本発明の一実施形態として動作している図１に示すコンピュータシステム１００で実行されるものであり、データ記録過程（ステップＳ１０１）と、記録情報保存過程（ステップＳ１０２）と、特定情報書込過程（ステップＳ１０３）と、特定情報読取過程（ステップＳ１０４）と、記録情報取得過程（ステップＳ１０５）と、レーベル画像描画過程（ステップＳ１０６）とを有している。ここで、データ記録過程（ステップＳ１０１）、記録情報保存過程（ステップＳ１０２）、特定情報書込過程（ステップＳ１０３）、特定情報読取過程（ステップＳ１０４）、記録情報取得過程（ステップＳ１０５）、およびレーベル画像描画過程（ステップＳ１０６）は、それぞれ本発明のデータ記録レーベル描画方法におけるデータ記録過程、記録情報保存過程、特定情報書込過程、特定情報読取過程、記録情報取得過程、およびレーベル画像描画過程の各一例に相当する。
【００６９】
このデータ記録レーベル描画方法の各過程の詳細については、本発明のデータ記録装置の一実施形態および本発明の画像描画装置の一実施形態それぞれの各部の作用と併せて説明する。
【００７０】
尚、以下の説明では、上記の図４および図５に示す要素については特に図番を断らずに各図中の符号を使って参照する。
【００７１】
図６は、本発明のデータ記録装置の一実施形態、本発明の画像描画装置の一実施形態、および本発明のデータ記録レーベル描画システムの一実施形態を示す機能ブロック図である。
【００７２】
この図６には、図１に示すコンピュータシステム１０が本発明のデータ記録装置の一実施形態であるデータ記録装置６１０として動作し、さらに本発明の画像描画装置の一実施形態である画像描画装置６２０として動作し、それら２つの装置で本発明のデータ記録レーベル描画システムの一実施形態であるデータ記録レーベル描画システム６００が構成される様子が示されている。そして、図１に示すコンピュータシステム１０が、これらデータ記録装置６１０および画像描画装置６２０として動作することで、図６に示すデータ記録レーベル描画方法が実行される。
【００７３】
データ記録装置６１０は、データ記録部６１１、記録情報保存部６１２、および特定情報書込部６１３を備えており、画像描画装置６２０は、特定情報読取部６２１、記録情報読取部６２２、およびレーベル画像描画部６２３を備えている。また、データ記録装置６１０と画像描画装置６２０とで、本発明のデータ記録レーベル描画システムの一実施形態であるデータ記録レーベル描画システム６００が構成される。
【００７４】
まず、図４のデータ記録プログラム５１０が、図１のコンピュータシステム１０で実行されると、そのデータ記録プログラム５１０のデータ記録部５１１、記録情報保存部５１２、および特定情報書込部５１３は、それぞれ図６に示すデータ記録装置６１０のデータ記録部６１１、記録情報保存部６１２、および特定情報書込部６１３を構築する。また、図４の画像描画プログラム５２０が、図１のコンピュータシステム１０で実行されると、その画像描画プログラム５２０の特定情報読取部５２１、記録情報読取部５２２、およびレーベル画像描画部５２３は、それぞれ図６に示す特定情報読取部６２１、記録情報読取部６２２、およびレーベル画像描画部６２３を構築する。ここで、データ記録装置６１０および画像描画装置６２０それぞれの各要素は、コンピュータのハードウェアとそのコンピュータで実行されるＯＳやアプリケーションプログラムとの組合せで構成されているのに対し、図４のデータ記録プログラム５１０および画像描画プログラム５２０の各要素は、アプリケーションプログラムのみによって構成されている。また、データ記録装置６１０のデータ記録部６１１、記録情報保存部６１２、および特定情報書込部６１３では、それぞれデータ記録過程（ステップＳ１０１）、記録情報保存過程（ステップＳ１０２）、および特定情報書込過程（ステップＳ１０３）が実行され、画像描画装置６２０の特定情報読取部６２１、記録情報読取部６２２、およびレーベル画像描画部６２３では、それぞれ特定情報読取過程（ステップＳ１０４）、記録情報取得過程（ステップＳ１０５）、およびレーベル画像描画過程（ステップＳ１０６）が実行される。
【００７５】
ここで、図６に示すデータ記録装置６１０のデータ記録部６１１、記録情報保存部６１２、および特定情報書込部６１３は、それぞれ本発明のデータ記録装置におけるデータ記録部、記録情報保存部、および特定情報書込部の各一例に相当し、画像描画装置６２０の特定情報読取部６２１、記録情報読取部６２２、およびレーベル画像描画部６２３は、それぞれ本発明の画像描画装置における特定情報読取部、記録情報読取部、およびレーベル画像描画部の各一例に相当する。
【００７６】
以下、この図６に示すデータ記録装置６１０および画像描画装置６２０それぞれの各要素を説明することによって、図４に示すデータ記録プログラム５１０および画像描画プログラム５２０の各要素も併せて説明する。
【００７７】
この図６に示すデータ記録レーベル描画システム６００では、データ記録装置６１０においてＤＶＤ３００のデータ面へのデータの記録が行われ、画像描画装置６２０においてＤＶＤ３００のレーベル面へのレーベル画像の描画が行われる。
【００７８】
まず、データ記録装置６１０について説明する。
【００７９】
このデータ記録装置６１０においてデータの記録は、ＤＶＤドライブ２００にデータ面を下向きにしてＤＶＤ３００が装填されると実行される。
【００８０】
データ記録部６１１に記録対象のデータが入力されると、このデータ記録部６１１は、その入力されたデータを、ＤＶＤドライブ２００を介してデータ面に記録する。
【００８１】
ここで、本実施形態では、データは、ファイル名が付されたファイル形式で扱われる。また、ファイルには、そのファイルの作成日および作成者の名前がファイル情報として添付されている。
【００８２】
記録情報保存部６１２は、上記のファイル名とファイル情報とからなる記録情報（本発明にいう記録情報の一例に相当）を作成する。また、図１に示す表示画面１２１に、データが記録されたＤＶＤ３００を特定する番号の入力をユーザに促すメッセージを表示し、そのメッセージに応じて、ユーザがキーボード１３０を操作して入力した番号を、そのＤＶＤ３００を特定するメディア特定情報（本発明にいうメディア特定情報の一例に相当）として上記の記録情報に添付する。そして、そのメディア特定情報が添付された記録情報をハードディスク装置１１３に保存する。
【００８３】
また、特定情報書込部６１３は、まず、上記のメディア特定情報を表すバーコードを作成する。そして、図１に示す表示画面１２１に、現在装填されているＤＶＤ３００を、レーベル面を下向きにして装填し直すようにユーザに促すメッセージを表示し、そのメッセージに応じて、ユーザがＤＶＤ３００を装填し直すと、ＤＶＤドライブ２００のレーベル画像書込み機能を使って、メディア特定情報を表すバーコードをレーベル面上の所定位置に書き込む。
【００８４】
以上に説明したように、データ記録装置６１０では、データ面にデータが記録され、上記のメディア特定情報を表すバーコードがレーベル面に書き込まれたＤＶＤ３００が作成される。そして、画像描画装置６２０において、このＤＶＤ３００のレーベル面に、データ面の記録内容を確認するためのレーベル画像が自動的に描画される。以下、この画像描画装置６２０について説明する。
【００８５】
ＤＶＤドライブ２００に、レーベルを下向きにしてＤＶＤ３００が装填されると、画像描画装置６２０の特定情報読取部６２１は、ＤＶＤドライブ２００のレーベル画像読取機能を使って、レーベル面に書き込まれているバーコードを読み取る。そして、その読み取ったバーコードを解析して、そのバーコードが表すメディア特定情報を取得する。
【００８６】
記録情報取得部６２２は、特定情報読取部６２１によって取得されたメディア特定情報を使い、ハードディスク装置１１３から、そのメディア特定情報が添付された記録情報を読み出す。
【００８７】
レーベル画像描画部６２３は、記録情報取得部６２２によって読み出された記録情報を使って、上記のファイル名、作成日、および作成者の名前を表す文字列が所定のレイアウトで配置されたレーベル画像を作成し、その作成したレーベル画像を、ＤＶＤドライブ２００を介してレーベル面に描画する。
【００８８】
以上、説明したように、この図６に示すデータ記録レーベル描画システム６００によれば、データの記録時にレーベル面に書き込まれたメディア特定情報を手がかりに、データの記録内容を表す記録情報が取得され、その記録内容に基づいて作成されたレーベル画像が描画される。これにより、例えば、ＤＶＤ３００に、誤って別のＤＶＤ用のレーベル画像が描画されてしまう等といった不具合が回避される。つまり、本実施形態によれば、ある記録メディア用のレーベル画像をその記録メディアに確実に描画することができる。
【００８９】
また、このデータ記録レーベル描画システム６００によれば、データ面へのデータの記録時にその記録内容を表わす記録情報がハードディスク装置１１３に保存される。これにより、そのデータ面の記録内容を表わすレーベル画像の描画の際には、ＤＶＤ３００をデータ面を下向きにしてＤＶＤドライブ２００に装填し、そのデータ面からデータを読み出して記録内容を確認するという作業が不要となる。従って、レーベル画像の描画の際には、ＤＶＤドライブ２００へのＤＶＤ３００の装填は、レーベル面を下向きにした装填を１回行なうだけで良く、その１回の装填で、データ面の記録内容を表わすレーベル画像をレーベル面に描画することができる。
【００９０】
ここで、上記では、本発明のデータ記録レーベル描画システムの一実施形態として、レーベル画像の描画対象のＤＶＤ３００を特定するメディア特定情報を、本発明にいう特定情報の一例として用いる例を示したが、本発明はこれに限るものではない。本発明のデータ記録レーベル描画システムは、以下に説明するように、本発明にいう特定情報の一例として、上記の記録情報が上記のハードディスク装置１１３に保存されたときの、そのハードディスク装置１１３における記録情報の保存場所のアドレスを示す保存場所特定情報（本発明にいう保存場所特定情報の一例に相当）を用いるという別形態であっても良い。
【００９１】
この別形態では、記録情報保存部および記録情報取得部の動作が図６に示す実施形態とは異なる。以下、この相違点について説明する。
【００９２】
この別形態では、記録情報保存部は、上述したファイル名およびファイル情報からなる記録情報を作成すると、図６に示す実施形態とは異なり、この記録情報のみをハードディスク装置１１３に保存する。そして、データ記録時には、上記の保存場所特定情報がレーベル面に書き込まれる。
【００９３】
そして、レーベル画像の描画時には、記録情報取得部は、ハードディスク装置１１３内の、レーベル面から読み取られた上記の保存場所特定情報が示すアドレスにアクセスし、そのアドレスに保存されている記録情報を読み出すこととなる。
【００９４】
以上に説明した別形態では、本発明にいう特定情報として、記録情報の保存場所を示す保存場所特定情報が使われる。このため、図６に示す実施形態で使われるメディア特定情報のように、記録情報とともにハードディスク装置１１３に保存する必要がなく記録情報保存部や記録情報取得部の処理が簡単なものとなっている。そして、この別形態では、その簡単な処理で、図６に示す実施形態と同様に、ある記録メディア用のレーベル画像をその記録メディアに確実に描画することができる。また、この別形態においても、図６に示す実施形態と同様に、レーベル画像の描画の際には、ＤＶＤドライブ２００へのＤＶＤ３００の装填は、レーベル面を下向きにした装填を１回行なうだけで良い。
【００９５】
尚、上記では、本発明にいう特定情報書込部の一例として、バーコード形式で情報を書き込む特定情報書込部６１３や第２の特定情報書込部８１３を例示したが、本発明はこれに限るものではなく、本発明の特定情報書込部は、例えば、情報をＱＲコード（登録商標）で書き込むものであっても良く、あるいは、文字列や、このデータ記録レーベル描画システムにおいて解読可能に予め取り決められたマークで書き込むもの等であっても良い。情報の読取の際、前者の場合には、ＱＲコード（登録商標）を解析することで情報が取得され、後者の場合には、文字認識や画像認識の技術を使って情報が取得されることとなる。
【００９６】
また、上記では、本発明にいう記録メディアの一例として、データが光で記録されるデータ面と、その光でレーベル画像が描画されるレーベル面とを有するレーベル描画型のＤＶＤを例示したが、本発明はこれに限るものではなく、本発明にいう記録メディアは、例えば、レーベル面へのインクジェットプリンタによる画像の出力が可能なＤＶＤやＣＤ−ＲやＣＤ−ＲＷ等であっても良い。この場合、データの記録は、光によるデータの記録が可能なデータ記録装置で行われ、レーベル画像の描画は、インクジェットプリンタによって行われることとなる。また、上記ではレーベル描画型のＤＶＤの具体例については言及しなかったが、このレーベル描画型のＤＶＤとしては、例えばＬａｂｅｌｆｌａｓｈ（登録商標）対応のＤＶＤや、Ｌｉｇｈｔｓｃｒｉｂｅ（登録商標）対応のＤＶＤ等が挙げられる。ここで、Ｌａｂｅｌｆｌａｓｈ（登録商標）対応のＤＶＤを用いる場合には、Ｌａｂｅｌｆｌａｓｈ（登録商標）対応のＤＶＤドライブが必要となり、Ｌｉｇｈｔｓｃｒｉｂｅ（登録商標）対応のＤＶＤを用いる場合には、Ｌｉｇｈｔｓｃｒｉｂｅ（登録商標）対応のＤＶＤドライブが必要となる。
【００９７】
また、上記では、本発明にいうデータ記録部とレーベル画像描画部との各一例として、ＤＶＤドライブ２００を介して赤外域のレーザ光でデータを記録するデータ記録部６１１と、ＤＶＤドライブ２００を介してそのレーザ光と同一の赤外域のレーザ光でレーベル画像を描画するレーベル画像描画部６２３とを例示したが、本発明はこれに限るものではない。本発明のデータ記録部およびレーベル画像描画部は、例えば、それぞれ互いに異なる波長のレーザ光でデータの記録およびレーベル画像の描画を行うもの等であっても良い。
【図面の簡単な説明】
【００９８】
【図１】本発明のデータ記録レーベル描画システムの一実施形態として動作するコンピュータシステムを示す図である。
【図２】図１に示すＤＶＤドライブ２００の内部構成を示すハードウェアブロック図である。
【図３】図１および図２に示すパーソナルコンピュータ１００のハードウェア構成図である。
【図４】本発明のデータ記録プログラムの一実施形態および本発明の画像描画プログラムの一実施形態が記憶された、本発明のデータ記録プログラム記憶媒体の一実施形態と本発明の画像描画プログラム記憶媒体の一実施形態とを兼ねたＣＤ−ＲＯＭを示す概念図である。
【図５】本発明のデータ記録レーベル描画方法の一実施形態を示すフローチャートである。
【図６】本発明のデータ記録装置の一実施形態、本発明の画像描画装置の一実施形態、および本発明のデータ記録レーベル描画システムの一実施形態を示す機能ブロック図である。
【符号の説明】
【００９９】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライバ
２００ａ    ＤＶＤ装填口
２０１    光ピックアップ
２０１ａ    第１のレーザダイオード
２０１ｂ    第２のレーザダイオード
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御回路（ＡＬＰＣ）
２１６    レーザドライバ
２１７    画像読取回路
２１８    制御回路
３００    ＤＶＤ
４１０    ＦＤ
４２０    ＣＤ−ＲＯＭ
５１０    データ記録プログラム
５１１    データ記録部
５１２    記録情報保存部
５１３    特定情報書込部
５２０    画像描画プログラム
５２１    特定情報読取部
５２２    記録情報読取部
５２３    レーベル画像描画部
６００    データ記録レーベル描画システム
６１０    データ記録装置
６１１    データ記録部
６１２    記録情報保存部
６１３    特定情報書込部
６２０    画像描画装置
６２１    特定情報読取部
６２２    記録情報読取部
６２３    レーベル画像描画部
【図１】
2007280103.tif 000003
【図２】
2007280103.tif 000004
【図３】
2007280103.tif 000005
【図４】
2007280103.tif 000006
【図５】
2007280103.tif 000007
【図６】
2007280103.tif 000008